(57)【特許請求の範囲】
【請求項１】
ローカル装置及びリモート装置を有するデータ伝送システムであって、
前記ローカル装置は、前記リモート装置と第１ケーブルを介して接続する第１接続手段と、
前記リモート装置と第２ケーブルを介して接続する第２接続手段と、
前記第２接続手段への前記第２ケーブルの着脱を検出する第１検出手段と、
前記第２ケーブルの着脱の情報を前記第１ケーブルを介して前記リモート装置と通信し、前記第２ケーブルが前記第２接続手段に装着された場合には、通信モードを前記第１ケーブルを介して前記リモート装置と通信する第１モードから、前記第１ケーブル及び前記第２ケーブルを介して前記リモート装置と通信する第２モードに変更し、前記第２ケーブルが前記第２接続手段から取り外された場合には、前記通信モードを前記第２モードから前記第１モードに変更する第１制御手段とを備え、
前記リモート装置は、前記ローカル装置と前記第１ケーブルを介して接続する第３接続手段と、
前記ローカル装置と前記第２ケーブルを介して接続する第４接続手段と、
前記第４接続手段への前記第２ケーブルの着脱を検出する第２検出手段と、
前記第２ケーブルの着脱の情報を前記第１ケーブルを介して前記ローカル装置と通信し、前記第２ケーブルが前記第４接続手段に装着された場合には、通信モードを前記第１モードから前記第２モードに変更し、前記第２ケーブルが前記第４接続手段から取り外された場合には、前記通信モードを前記第２モードから前記第１モードに変更する第２制御手段と
を備えることを特徴とするデータ伝送システム。
【請求項２】
情報処理装置が前記ローカル装置に接続され、シリアル装置が前記リモート装置に接続され、
前記ローカル装置は、前記第２ケーブルの着脱に応じて、前記情報処理装置と前記シリアル装置との間を転送されるシリアルデータの転送経路を切り替える第１スイッチを備え、
前記リモート装置は、前記第２ケーブルの着脱に応じて、前記情報処理装置と前記シリアル装置との間を転送されるシリアルデータの転送経路を切り替える第２スイッチを備えることを特徴とする請求項１に記載のデータ伝送システム。
【請求項３】
前記第２ケーブルが前記第２接続手段及び前記第４接続手段から取り外された場合には、前記シリアルデータの転送速度は固定され、前記第２ケーブルが前記第２接続手段及び前記第４接続手段に装着された場合には、前記シリアルデータの転送速度は可変になることを特徴とする請求項２に記載のデータ伝送システム。
【請求項４】
前記第２ケーブルが前記第２接続手段及び前記第４接続手段に装着された場合には、前記シリアルデータは他のデータに重畳されることなく、前記リモート装置から前記ローカル装置に送信され、
前記第２ケーブルが前記第２接続手段及び前記第４接続手段から取り外された場合には、前記第２制御手段は、前記シリアルデータを他のデータに重畳し、重畳データを前記第１制御手段に送信し、前記第１制御手段は前記重畳データを前記シリアルデータと前記他のデータに分離することを特徴とする請求項２又は３に記載のデータ伝送システム。
【請求項５】
前記第２ケーブルが前記第２接続手段及び前記第４接続手段から取り外された場合には、前記第１スイッチ及び前記第２スイッチは、前記シリアルデータが前記第１ケーブル、前記第１制御手段及び前記第２制御手段を通過するように、前記シリアルデータの転送経路を切り替え、
前記第２ケーブルが前記第２接続手段及び前記第４接続手段に装着された場合には、前記第１スイッチ及び前記第２スイッチは、前記シリアルデータが前記第２ケーブルを通過するように、前記シリアルデータの転送経路を切り替えることを特徴とする請求項２に記載のデータ伝送システム。
【請求項６】
外部端末と第１ケーブルを介して接続する第１接続手段と、
前記外部端末と第２ケーブルを介して接続する第２接続手段と、
前記第２接続手段への前記第２ケーブルの着脱を検出する検出手段と、
前記第２ケーブルの着脱の情報を前記第１ケーブルを介して前記外部端末と通信し、前記第２ケーブルが前記第２接続手段に装着された場合には、通信モードを前記第１ケーブルを介して前記外部端末と通信する第１モードから、前記第１ケーブル及び前記第２ケーブルを介して前記外部端末と通信する第２モードに変更し、前記第２ケーブルが前記第２接続手段から取り外された場合には、前記通信モードを前記第２モードから前記第１モードに変更する制御手段とを備えることを特徴とするデータ通信装置。
【発明の詳細な説明】
【技術分野】
【０００１】
本発明は、データ伝送システム及びデータ通信装置に関する。
【背景技術】
【０００２】
従来より、通信モードを有線通信から無線通信に切り替える技術が知られている（例えば、特許文献１、２参照）。
【０００３】
また、従来より、コンピュータから出力されるアナログ映像信号（即ち、RGB信号）及びキーボードやマウスの操作に対するレスポンス信号を４対の信号線を含むCat5（category 5）ケーブルで遠隔地に送信するローカルユニットと、キーボードやマウスの操作信号をローカルユニットに送信すると共に上記アナログ映像信号及びレスポンス信号を受信するリモートユニットとを有するデータ伝送システムが知られている（特許文献３参照）。
【先行技術文献】
【特許文献】
【０００４】
【特許文献１】特開平９−３０５５０８号公報
【０００５】
【特許文献２】特開平８−２０４７７７号公報
【０００６】
【特許文献３】特開２００４−３５６９３９号公報
【発明の概要】
【発明が解決しようとする課題】
【０００７】
図１（Ａ）及び図１（Ｂ）はデータ伝送システムの構成図である。図１（Ａ）のデータ伝送システム１０Ａは、コンピュータ１、ローカルユニット２Ａ及びリモートユニット３Ａを備えている。ローカルユニット２Ａは、１本のCat5（Category 5）ケーブル８を介してリモートユニット３Ａに接続されている。リモートユニット３Ａには、キーボード４、マウス５、モニタ６及びタッチパネル７が接続されている。Cat5ケーブル８は４対の信号線を含む。
【０００８】
上記データ伝送システム１０Ａでは、ローカルユニット２Ａは、３対の信号線を使い、アナログ映像信号をリモートユニット３Ａに送信し、残りの１対の信号線を使い、キーボードやマウスの操作に対するレスポンス信号をリモートユニット３Ａに送信する。
【０００９】
このため、コンピュータ１がタッチパネル７にシリアル信号を出力する場合、空いている信号線がないので、ローカルユニット２Ａは、シリアル信号をレスポンス信号に重畳し、リモートユニット３Ａに送信する。この場合、シリアル転送のボーレートが9600bpsで固定されるので、このボーレートに対応しないデバイス（タッチパネル７）はリモートユニット３Ａに接続できなかった。
【００１０】
一方、図１（Ｂ）のデータ伝送システム１０Ｂは、コンピュータ１、ローカルユニット２Ｂ及びリモートユニット３Ｂを備えている。ローカルユニット２Ｂは、２本のCat5ケーブル８を介してリモートユニットＢＡに接続されている。リモートユニット３Ｂには、キーボード４、マウス５、モニタ６及びタッチパネル７が接続されている。
【００１１】
ローカルユニット２Ｂは、１本目のCat5ケーブル８を使って、アナログ映像信号及びキーボードやマウスの操作に対するレスポンス信号をリモートユニット３Ｂに送信し、２本目のCat5ケーブル８を使って、タッチパネル７用のシリアル信号をリモートユニット３Ｂに送信する。この場合、ボーレートが1200bps以上であるデバイス（タッチパネル７）がリモートユニット３Ｂに接続できる。但し、データ伝送システム１０Ｂでは、２本のCat5ケーブル８が必要である。
【００１２】
ところで、データ伝送システム１０Ａ又は１０Ｂの一方が設置された後、他方のデータ伝送システムに変更する場合、物理的にローカルユニット及びリモートユニットを変更しなければならない。例えば、データ伝送システム１０Ａがデータ伝送システム１０Ｂに変更される場合には、ローカルユニット２Ａ及びリモートユニット３Ａをローカルユニット２Ｂ及びリモートユニット３Ｂに置き換えなければならなかった。
【００１３】
本発明の目的は、２本目のケーブルの着脱に応じて通信モードを切り替えることができるデータ伝送システム及びデータ通信装置を提供することにある。
【課題を解決するための手段】
【００１４】
上記目的を達成するため、明細書に開示されたデータ伝送システムは、ローカル装置及びリモート装置を有するデータ伝送システムであって、前記ローカル装置は、前記リモート装置と第１ケーブルを介して接続する第１接続手段と、前記リモート装置と第２ケーブルを介して接続する第２接続手段と、前記第２接続手段への前記第２ケーブルの着脱を検出する第１検出手段と、前記第２ケーブルの着脱の情報を前記第１ケーブルを介して前記リモート装置と通信し、前記第２ケーブルが前記第２接続手段に装着された場合には、通信モードを前記第１ケーブルを介して前記リモート装置と通信する第１モードから、前記第１ケーブル及び前記第２ケーブルを介して前記リモート装置と通信する第２モードに変更し、前記第２ケーブルが前記第２接続手段から取り外された場合には、前記通信モードを前記第２モードから前記第１モードに変更する第１制御手段とを備え、前記リモート装置は、前記ローカル装置と前記第１ケーブルを介して接続する第３接続手段と、前記ローカル装置と前記第２ケーブルを介して接続する第４接続手段と、前記第４接続手段への前記第２ケーブルの着脱を検出する第２検出手段と、前記第２ケーブルの着脱の情報を前記第１ケーブルを介して前記ローカル装置と通信し、前記第２ケーブルが前記第４接続手段に装着された場合には、通信モードを前記第１モードから前記第２モードに変更し、前記第２ケーブルが前記第４接続手段から取り外された場合には、前記通信モードを前記第２モードから前記第１モードに変更する第２制御手段とを備えることを特徴とする。
【発明の効果】
【００１５】
本発明によれば、２本目のケーブルの着脱に応じて通信モードを切り替えることができるデータ伝送システム及びデータ通信装置を提供することにある。
【図面の簡単な説明】
【００１６】
【図１】（Ａ）及び（Ｂ）は、従来のデータ伝送システムの構成図である。
【図２】１本のCat5ケーブルがローカルユニットとリモートユニットとの間に接続されている場合のデータ伝送システムの概略構成図である。
【図３】２本のCat5ケーブルがローカルユニットとリモートユニットとの間に接続されている場合のデータ伝送システムの概略構成図である。
【図４】（Ａ）は、ＬＡＮ端子２６及び４６に含まれるピンの仕様を示す図であり、（Ｂ）は、ＬＡＮ端子２７及び４７に含まれるピンの仕様を示す図である。
【図５】Cat5ケーブルがローカルユニットとリモートユニットとの間に接続される場合のローカルユニット及びリモートユニットの動作を示すシーケンス図である。
【図６】第１モードが設定されている場合の各種の信号の流れを示すシーケンス図である。
【図７】第１モードから第２モードに切り替えられる場合の処理を示すシーケンス図である。
【図８】第２モードから第１モードに切り替えられる場合の処理を示すシーケンス図である。
【発明を実施するための形態】
【００１７】
以下、図面を参照しながら本発明の実施の形態を説明する。
【００１８】
図２は、１本のCat5ケーブルがローカルユニットとリモートユニットとの間に接続されている場合のデータ伝送システムの概略構成図である。図３は、２本のCat5ケーブルがローカルユニットとリモートユニットとの間に接続されている場合のデータ伝送システムの概略構成図である。
【００１９】
データ伝送システム１００は、コンピュータ１１、ローカルユニット２１及びリモートユニット４１を備えている。ローカルユニット２１及びリモートユニット４１はいずれもデータ通信装置として機能する。
【００２０】
ローカルユニット２１は、コンピュータ１１から出力されるアナログ映像信号（即ち、RGB信号）を入力するビデオ端子２２と、キーボードやマウスの操作信号をコンピュータ１１に出力すると共にコンピュータ１１から操作信号に対する応答信号を入力するＫ／Ｍ（キーボード／マウス）端子２３、シリアルデバイス（例えばタッチパネル１６）からのシリアルデータをコンピュータ１１に出力すると共にコンピュータ１１からシリアルデータに対する応答データを受信するシリアル端子２４、及びコンピュータ１１からオーディオデータを入力するオーディオ端子２５を備えている。さらに、ローカルユニット２１は、Cat5（Category 5）ケーブル１８Ａを接続するＬＡＮ（Local Area Network）端子２６と、Cat5ケーブル１８Ｂ（図３参照）を接続するＬＡＮ端子２７と、ローカルユニット２１の全体動作を制御するコントローラ２８と、２本目のCat5ケーブル（即ち、Cat5ケーブル１８Ｂ）の着脱を検出する差動アンプ２９と、シリアル端子２４からのシリアルデータの出力先をコントローラ２８又はＬＡＮ端子２７のいずれかに切り替えるスイッチ３０とを備えている。ＬＡＮ端子２６は第１接続手段として機能し、ＬＡＮ端子２７は第２接続手段として機能する。差動アンプ２９は第１検出手段として機能し、コントローラ２８は第１制御手段として機能する。スイッチ３０は第１スイッチとして機能する。
【００２１】
コントローラ２８は、例えば、マイクロコンピュータで構成され、Ｋ／Ｍ端子２３、ＬＡＮ端子２６、差動アンプ２９及びスイッチ３０に接続されている。ビデオ端子２２はＬＡＮ端子２６と接続されており、シリアル端子２４はスイッチ３０に接続されている。また、ＬＡＮ端子２７は、差動アンプ２９及びオーディオ端子２５に接続されている。
【００２２】
リモートユニット４１は、アナログ映像信号（即ち、RGB信号）をモニタ１３に出力するビデオ端子４２と、キーボード１４やマウス１５の操作信号をコンピュータ１１に出力するＫ／Ｍ（キーボード／マウス）端子４３、シリアルデバイス（例えばタッチパネル１６）からのシリアルデータをコンピュータ１１に出力すると共にコンピュータ１１からシリアルデータに対する応答データを受信するシリアル端子４４、及びコンピュータ１１からオーディオデータをスピーカ１７に出力するオーディオ端子４５を備えている。さらに、リモートユニット４１は、Cat5（Category 5）ケーブル１８Ａを接続するＬＡＮ端子４６と、Cat5ケーブル１８Ｂを接続するＬＡＮ端子４７と、ローカルユニット２１の全体動作を制御するコントローラ４８と、２本目のCat5ケーブル（即ち、Cat5ケーブル１８Ｂ）の着脱を検出する差動アンプ４９と、シリアル端子４４からのシリアルデータの出力先をコントローラ４８又はＬＡＮ端子４７のいずれかに切り替えるスイッチ５０とを備えている。ＬＡＮ端子４６は第３接続手段として機能し、ＬＡＮ端子４７は第４接続手段として機能する。差動アンプ４９は第２検出手段として機能し、コントローラ４８は第２制御手段として機能する。スイッチ５０は第２スイッチとして機能する。
【００２３】
コントローラ４８は、例えば、マイクロコンピュータで構成され、Ｋ／Ｍ端子４３、ＬＡＮ端子４６、差動アンプ４９及びスイッチ５０に接続されている。ビデオ端子４２はＬＡＮ端子４６とコントローラ４８との間に接続されており、シリアル端子４４はスイッチ３０に接続されている。また、ＬＡＮ端子４７は、差動アンプ４９及びオーディオ端子４５に接続されている。さらに、ビデオ端子４２にはモニタ１３が接続されており、Ｋ／Ｍ端子４３にはキーボード１４及びマウス１５が接続されている。シリアル端子４４には、タッチパネル１６が接続されており、オーディオ端子４５にはスピーカ１７が接続されている。本実施の形態では、シリアルデバイスの一例としてタッチパネル１６が用いられているが、これに限定されるわけではなく、携帯電話やプリンタなどでもよい。
【００２４】
ローカルユニット２１とリモートユニット４１とが互いに通信する場合、コントローラ２８及び４８は第１モード又は第２モードに設定される。第１モードは、ローカルユニット２１とリモートユニット４１とが１本のCat5ケーブル１８Ａを介して通信するモードである。第２モードは、ローカルユニット２１とリモートユニット４１とが２本のCat5ケーブル１８Ａを介して通信するモードである。換言すれば、第１モードは、シリアルデバイス（例えばタッチパネル１６）からのシリアルデータがコントローラ２８及び４８を経由するモード又はシリアルデバイスからのシリアルデータの転送速度が固定であるモードである。第２モードは、シリアルデバイスからのシリアルデータがコントローラ２８及び４８を経由しないモード又はシリアルデバイスからのシリアルデータの転送速度が可変であるモードである。第１モードは、第２モードとシリアルデバイスからのシリアルデータの通信経路が異なる。
【００２５】
差動アンプ２９及び４９は、それぞれコントローラ４８及び２８からＬＡＮ端子４７及び２７を介して定期的に送信されるシリアルデータを受信する、又はＬＡＮ端子２７及び４７の電流レベル又は電圧レベルを受信することによって、２本目のCat5ケーブル（即ち、Cat5ケーブル１８Ｂ）の着脱を検出する。また、本実施の形態では、Cat5ケーブル１８Ｂがローカルユニット２１とリモートユニット４１との間に装着された場合にのみ、コンピュータ１１からのオーディオデータをスピーカー１７に送信することができる。
【００２６】
Cat5ケーブル１８Ａ及び１８Ｂは、４対の信号線（合計８本の信号線）を含む。図４（Ａ）は、ＬＡＮ端子２６及び４６に含まれるピンの仕様を示し、図４（Ｂ）は、ＬＡＮ端子２７及び４７に含まれるピンの仕様を示す。
【００２７】
図４（Ａ）に示すように、ＬＡＮ端子２６及び４６の第１ピン及び第２ピンは、Ｒ（Red）の差動信号の転送に使用される。ＬＡＮ端子２６及び４６の第４ピン及び第５ピンは、Ｇ（Green）の差動信号の転送に使用される。ＬＡＮ端子２６及び４６の第７ピン及び第８ピンは、Ｂ（Blue）の差動信号の転送に使用される。ＬＡＮ端子２６及び４６の第３ピン及び第６ピンは、シリアルデータを差動信号として転送する場合に使用される。
【００２８】
図４（Ｂ）に示すように、ＬＡＮ端子２７及び４７の第１ピン及び第２ピンは、オーディオデータを差動信号として転送する場合に使用される。ＬＡＮ端子２７及び４７の第４ピン及び第５ピンは、オーディオデータ用のクロックを差動信号として転送する場合に使用される。ＬＡＮ端子２７及び４７の第３ピン及び第６ピンは、シリアルデータ（ＴｘＤ）を差動信号として転送する場合に使用される。ＬＡＮ端子２７及び４７の第７ピン及び第８ピンは、シリアルデータ（ＲｘＤ）を差動信号として転送する場合に使用される。
【００２９】
図５は、Cat5ケーブル１８Ａがローカルユニット２１とリモートユニット４１との間に接続される場合のローカルユニット２１及びリモートユニット４１の動作を示すシーケンス図である。
【００３０】
まず、ローカルユニット２１及びリモートユニット４１は電源がＯＮになると（ステップＳ１、Ｓ２）、ローカルユニット２１のコントローラ２８は、リモートユニット４１のコントローラ４８に接続要求を出力する（ステップＳ３）。リモートユニット４１のコントローラ４８は接続要求を受信すると、リモートユニット４１に第１モードを設定し（ステップＳ４）、シリアルデータの転送速度を例えば9600bpsに固定する（ステップＳ５）。その後、コントローラ４８は応答信号をコントローラ２８に出力する（ステップＳ６）。コントローラ２８は、応答信号をコントローラ４８から受信すると、ローカルユニット２１に第１モードを設定する（ステップＳ７）。コントローラ２８は、シリアルデータの転送速度を例えば9600bpsに固定する（ステップＳ８）。
【００３１】
そして、コントローラ２８は、スイッチ３０の出力をコントローラ２８側に切り替える（ステップＳ９）。コントローラ４８は、スイッチ５０の出力をコントローラ４８側に切り替える（ステップＳ１０）。
【００３２】
以上のシーケンスにより、ローカルユニット２１とリモートユニット４１とが互いに１本のCat5ケーブル１８Ａを介して通信する環境が確立される。尚、図５では、コントローラ２８は、コントローラ４８に接続要求を出力して、応答信号をコントローラ４８から受信するが、コントローラ４８が、コントローラ２８に接続要求を出力して、応答信号をコントローラ２８から受信してもよい。
【００３３】
図６は、第１モードが設定されている場合の各種の信号の流れを示すシーケンス図である。
【００３４】
コンピュータ１１からの映像信号は、ビデオ端子２２、ＬＡＮ端子２６、Cat5ケーブル１８Ａ、ＬＡＮ端子４６及びビデオ端子４２を介してモニタ１３に出力される（ステップＳ２１）。
【００３５】
キーボード１４及びマウス１５の操作信号はＫ／Ｍ端子４３を介してコントローラ４８に出力され（ステップＳ２２）、タッチパネル１６の操作信号（即ちシリアルデータ）はシリアル端子４４を介してコントローラ４８に出力される（ステップＳ２３）。コントローラ４８は、タッチパネル１６の操作信号をキーボード１４及びマウス１５の操作信号の重畳し、重畳信号をＬＡＮ端子４６、Cat5ケーブル１８Ａ及びＬＡＮ端子２６コントローラ２８に出力する（ステップＳ２４）。コントローラ２８は、重畳信号を受信し、重畳信号をタッチパネル１６の操作信号とキーボード１４及びマウス１５の操作信号とに分離する（ステップＳ２５）。キーボード１４及びマウス１５の操作信号は、Ｋ／Ｍ端子２３を介してコンピュータ１１に出力される（ステップＳ２６）。タッチパネル１６の操作信号はスイッチ３０及びシリアル端子２４を介してコンピュータ１１に出力される（ステップＳ２７）。
【００３６】
コンピュータ１１からキーボード１４及びマウス１５の操作信号に対する応答信号が出力され（ステップＳ２８）、さらに、タッチパネル１６の操作信号に対する応答信号（即ちシリアルデータ）が出力される（ステップＳ２９）。キーボード１４及びマウス１５の操作信号に対する応答信号及びタッチパネル１６の操作信号に対する応答信号は、コントローラ２８で重畳され、その重畳信号は、コントローラ４８に出力される（ステップＳ３０）。コントローラ４８は、重畳信号をタッチパネル１６の操作信号に対する応答信号とキーボード１４及びマウス１５の操作信号に対する応答信号に分離する（ステップＳ３１）。キーボード１４及びマウス１５の操作信号に対する応答信号は、コントローラ４８で処理されてもよいし、キーボード１４及びマウス１５に出力されてもよい（ステップＳ３２）。タッチパネル１６の操作信号に対する応答信号はタッチパネルに出力される（ステップＳ３３）。
【００３７】
図７は、第１モードから第２モードに切り替えられる場合の処理を示すシーケンス図である。
【００３８】
まず、２本目のCat5ケーブル（即ち、Cat5ケーブル１８Ｂ）が装着されると、差動アンプ２９及び４９は、２本目のCat5ケーブルの装着を検出し、コントローラ２８及び４８にそれぞれ２本目のCat5ケーブルの装着を通知する（ステップＳ４１，Ｓ４２）。
【００３９】
コントローラ２８は、２本目のCat5ケーブルの装着を認識し、１本目のCat5ケーブル（即ち、Cat5ケーブル１８Ａ）を介して２本目のCat5ケーブル用の装着認識信号をコントローラ４８へ送信する（ステップＳ４３）。装着認識信号とは、コントローラがCat5ケーブルの装着を認識したことを示す信号である。
【００４０】
コントローラ４８は、２本目のCat5ケーブル用の装着認識信号を受信すると、１本目のCat5ケーブルを介して装着認識完了信号をコントローラ２８へ返信する（ステップＳ４４）。装着認識完了信号とは、コントローラが他のユニットへのCat5ケーブルの装着を認識したことを示す信号である。
【００４１】
また、コントローラ４８は、自身の通信モードの設定を第１モードから第２モードに切り替える（ステップＳ４５）。このとき、Cat5ケーブル１８Ａを経由するデータの転送速度は、9600bpsであり、第１モードの転送速度と同じであるが、Cat5ケーブル１８Ｂを経由するシリアルデータの転送速度は、1200bps以上であり、可変である。つまり、1200bps以上の転送速度を有するシリアルデバイスをシリアル端子４４に接続できる。
【００４２】
また、コントローラ４８はスイッチ５０をコントローラ４８側からＬＡＮ端子４７側へ切り替える（ステップＳ４６）。
【００４３】
コントローラ２８は、装着認識完了信号を受信すると、自身の設定を第１モードから第２モードに切り替える（ステップＳ４７）。また、コントローラ２８はスイッチ３０をコントローラ２８側からＬＡＮ端子２７側へ切り替える（ステップＳ４８）。
【００４４】
尚、図７では、２本目のCat5ケーブルがまずローカルユニット２１に装着され、その後、リモートユニット４１に装着されている例を説明している。しかし、２本目のCat5ケーブルがまずリモートユニット４１に装着され、その後、ローカルユニット２１に装着されてもよい。この場合、コントローラ４８が２本目のCat5ケーブル用の装着認識信号をコントローラ２８へ送信し、コントローラ２８は、装着認識完了信号をコントローラ４８へ返信する。
【００４５】
図８は、第２モードから第１モードに切り替えられる場合の処理を示すシーケンス図である。
【００４６】
まず、２本目のCat5ケーブル（即ち、Cat5ケーブル１８Ｂ）が取り外されると、差動アンプ２９及び４９は、２本目のCat5ケーブルの取り外しを検出し、コントローラ２８及び４８にそれぞれ２本目のCat5ケーブルの取り外しを通知する（ステップＳ５１，Ｓ５２）。
【００４７】
コントローラ２８は、２本目のCat5ケーブルの取り外しを認識し、１本目のCat5ケーブル（即ち、Cat5ケーブル１８Ａ）を介して２本目のCat5ケーブル用の取り外し認識信号をコントローラ４８へ送信する（ステップＳ５３）。取り外し認識信号とは、コントローラがCat5ケーブルの取り外しを認識したことを示す信号である。
【００４８】
コントローラ４８は、２本目のCat5ケーブル用の取り外し認識信号を受信すると、１本目のCat5ケーブルを介して取り外し認識完了信号をコントローラ２８へ返信する（ステップＳ５４）。取り外し認識完了信号とは、コントローラが他のユニットからのCat5ケーブルの取り外しを認識したことを示す信号である。
【００４９】
また、コントローラ４８は、自身の設定を第２モードから第１モードに切り替える（ステップＳ５５）。このとき、Cat5ケーブル１８Ａを経由するデータの転送速度は、9600bpsであり、固定速度になる。シリアルデバイスからのシリアルデータはキーボード１４及びマウス１５の操作データに重畳されて、送信される。
【００５０】
また、コントローラ４８はスイッチ５０をＬＡＮ端子４７側からコントローラ４８側へ切り替える（ステップＳ５６）。
【００５１】
コントローラ２８は、取り外し認識完了信号を受信すると、自身の通信モードの設定を第２モードから第１モードに切り替える（ステップＳ５７）。また、コントローラ２８はスイッチ３０をＬＡＮ端子２７側からコントローラ２８側へ切り替える（ステップＳ５８）。
【００５２】
尚、図８では、２本目のCat5ケーブルがまずローカルユニット２１から取り外され、その後、リモートユニット４１から取り外されている例を説明している。しかし、２本目のCat5ケーブルがまずリモートユニット４１から取り外され、その後、ローカルユニット２１から取り外されてもよい。この場合、コントローラ４８が２本目のCat5ケーブル用の取り外し認識信号をコントローラ２８へ送信し、コントローラ２８は、取り外し認識完了信号をコントローラ４８へ返信する。
【００５３】
上述したように、本実施の形態によれば、ローカルユニット２１及びリモートユニット４１は、２本目のCat5ケーブルの装着に応じて、ローカルユニット２１及びリモートユニット４１の通信モードを第１モードから第２モードに自動で切り替えることができる。ローカルユニット２１及びリモートユニット４１は、２本目のCat5ケーブルの取り外しに応じて、通信モードを第２モードから第１モードに自動で切り替えることができる。
【００５４】
２本目のCat5ケーブルの着脱に応じて、シリアルデバイスからのシリアルデータの転送経路や転送速度を変更することができる。さらに、２本目のCat5ケーブルの着脱に応じて、シリアルデバイスからのシリアルデータの転送方法を変更することができる。具体的には、２本目のCat5ケーブルが装着される場合は、シリアルデータは他のデータに重畳されずに転送されるが、２本目のCat5ケーブルが取り外される場合は、シリアルデータは他のデータに重畳されて転送される。
【００５５】
尚、本発明は、上述した実施の形態に限定されるものではなく、その要旨を逸脱しない範囲内で種々変形して実施することが可能である。
【符号の説明】
【００５６】
１１  コンピュータ
２１  ローカルユニット
２２  ビデオ端子
２３  Ｋ／Ｍ（キーボード／マウス）端子
２４  シリアル端子
２５  オーディオ端子
２６，２７  ＬＡＮ端子
２８  コントローラ
２９  差動アンプ
３０  スイッチ
４１  リモートユニット
１００  データ伝送システム
【図１】
0005819219.tif 000002
【図２】
0005819219.tif 000003
【図３】
0005819219.tif 000004
【図４】
0005819219.tif 000005
【図５】
0005819219.tif 000006
【図６】
0005819219.tif 000007
【図７】
0005819219.tif 000008
【図８】
0005819219.tif 000009